(57)【特許請求の範囲】
【請求項１】
上方に向けて開放された口部を有するカップ型断面形状をなす容器本体と、この容器本体の口部の外周縁に一体連結するフランジ部とを備え、該フランジ部にフィルム状のシートを溶着して前記口部を密閉保持するカップ型容器において、
前記カップ型容器は、前記シートの上面への配置を可能とするカバーを備え、
前記カバーが、前記フランジ部に連係する係止片を有し前記シートの外表面の少なくとも一部分を覆う板状のカバー本体と、この板状のカバー本体にヒンジを介して回動可能に連結する蓋体からなり、
前記カバー本体に、前記フランジ部の内側端に隣接して開放する貫通開口と、該貫通開口の縁部に沿って設けられ該カバー本体の上面で斜め外向きに起立して飲み口を形成するとともに前記蓋体との係合、離反により前記貫通開口を開閉する樋状の起立片をそれぞれ設け、
前記蓋体は、前記起立片と係合することで該起立片の両側壁に被さる一対の側壁を有することを特徴とするカップ型容器。
【請求項２】
前記カバー本体に、容器本体の口部の内側壁に当接する主壁部と、この主壁部の端部にそれぞれ一体連結し前記主壁部と協働して内側に内容物の流出路を形成する側壁部からなり、前記貫通開口の縁部に沿って設けられ該カバー本体の下面において垂下する垂下片を設けた、請求項１記載のカップ型容器。
【請求項３】
前記係止片と前記カバー本体との相互間に、該カバー本体をシールの外表面に沿う向きでスライドさせ前記フランジ部の先端縁部を嵌合させる溝部を設けた、請求項１記載のカップ型容器。
【発明の詳細な説明】
【技術分野】
【０００１】
本発明は、口部をフィルム状のシートを貼り付けることによって密封するカップ型容器に関するものであり、内容物の飛散を伴うことなしに簡単な動作でもって開封しようとするものである。
【背景技術】
【０００２】
コーヒー、紅茶あるいはヨーグルトの如き乳製品等の飲料は、内容物の味や風味を維持するために容器への充填に際しては無菌充填システムが採用されており、係るシステムに適した容器としては、容器の本体部分をカップ状としその口部にフィルム状のシートを貼り付けたものが使用されている。
【０００３】
この種の容器は、容器の本体部分に別途にストローが備え付けられているのが普通であり、内容物を取り出すに当たっては、ストローの先端を該シートに突き刺しその姿勢をそのまま維持して内容物を吸上げるようにしているが、ストローを通して内容物を吸い上げるこの種の容器にあっては、ストローの先端部分に手、指で触れることになるのが避けられないことから衛生面で好ましいとはいえず、また、近年に至っては、ウォーマーを使用して内容物を加温して販売される商品も増加する傾向にあって熱変形が不可避なストローに替えて容器の口部に設けられた飲み口に直接、口をあてがって内容物を飲むタイプの容器が提案されており、この点に関する先行文献としては、密封シートの上に押し下げ片を設け、この押し下げ片を操作することによりワンタッチで該密封シートを切り裂く構造の容器が知られている（例えば、特許文献１が参照）。
【０００４】
ところで、上記のような従来タイプの容器においては、押し下げ片により密封シートを切り裂く際に、力加減によっては内容物が飛び散るのが避けられない不具合があること。また、押し下げ片につき、手指が触れた部位が容器内の内容物に漬かってしまったり、あるいは、密封シートを切り裂く際に勢いあまって手指が内容物に触れてしまう不具合があること。さらには、押し下げ片を備えたキャップを別途に設ける必要があることから材料の使用量が増加する傾向にあり製造コストの上昇が避けられない等、種々の不具合があり未だ改善の余地が残されていた。
【先行技術文献】
【特許文献】
【０００５】
【特許文献１】特開２００４−３５９３１４号公報
【発明の概要】
【発明が解決しようとする課題】
【０００６】
本発明の課題は、上記のような従来の不具合を解消することが可能であり、しかも、飲み口を形成する部材に用いられる材料の使用量を最少限に留めることができる新規なカップ型容器を提案するところにある。
【課題を解決するための手段】
【０００７】
本発明は、上方に向けて開放された口部を有するカップ型断面形状をなす容器本体と、この容器本体の口部の外周縁に一体連結するフランジ部とを備え、該フランジ部にフィルム状のシートを溶着して前記口部を密閉保持するカップ型容器において、
前記カップ型容器は、前記シートの上面への配置を可能とするカバーを備え、
前記カバーが、前記フランジ部に連係する係止片を有し前記シートの外表面の少なくとも一部分を覆う板状のカバー本体と、この板状のカバー本体にヒンジを介して回動可能に連結する蓋体からなり、
前記カバー本体に、前記フランジ部の内側端に隣接して開放する貫通開口と、該貫通開口の縁部に沿って設けられ該カバー本体の上面で斜め外向きに起立して飲み口を形成するとともに前記蓋体との係合、離反によって前記貫通開口を開閉する樋状の起立片をそれぞれ設け、
前記蓋体は、前記起立片と係合することで該起立片の両側壁に被さる一対の側壁を有することを特徴とするカップ型容器である。
【０００８】
上記の構成からなるカップ型容器において、カバー本体には、容器本体の口部の内側壁に当接する主壁部と、この主壁部の端部にそれぞれ一体連結し前記主壁部と協働して内側に内容物の注出経路を形成する側壁部から構成され、該貫通開口の縁部に沿って設けられ該カバー本体の下面において垂下するコの字状をなす垂下壁を設けることができる。
【０００９】
また、前記係止片と前記カバー本体との相互間には、該カバー本体をシールの外表面に沿わせてスライドさせ前記フランジ部の先端縁部を嵌合させる溝部を設けるのが好ましい。
【発明の効果】
【００１０】
シールの一部分を引き剥がしカバー本体をシートの引き剥がした部分に配置することにより該カバー本体の係止片が該フランジ部に引っ掛かかり、これによりカバーは簡単な操作で容器に固定される。
【００１１】
カバー本体を取り付けた後において、蓋体を起立片から離反させて貫通開口を開放するだけで内容物の注出が可能となる。
【００１２】
カバーを容器に装着する際に、蓋体と起立片が係合状態におかれている限りカバー本体に設けられた貫通開口は閉塞状態に保持されているため、カバーの取り付け時に内容物が飛び散ることもない。
【００１３】
カバー本体は、一体物として構成することが可能（１パーツ）であり、しかも、蓋体、起立片あるいは垂下片を設けることができる程度の面積を有していればよいので、そのサイズも小さくてすみ、材料の使用量を最少限に食い留めることができる。
【図面の簡単な説明】
【００１４】
【図１】本発明にしたがうカップ型容器の実施の形態を模式的に示した外観斜視図である。
【図２】図１に示したカップ型容器の側面を断面で示した図である。
【図３】図１に示したカップ型容器の平面を示した図である。
【図４】図３のＡ−Ａ視図である。
【図５】本発明にしたがうカップ型容器の他の実施の形態を要部について示した断面図である。
【発明を実施するための形態】
【００１５】
以下、図面を用いて本発明をより具体的に説明する。
図１は、本発明にしたがうカップ型容器の実施の形態を、模式的に示した外観斜視図であり、図２は、図１の断面を示した図であり、図３は、図１の平面を示した図であり、さらに、図４は、図３のＡ−Ａ視図である。
【００１６】
図における１は、カップ型断面をなす容器本体である。この容器本体１は、円形をなす底壁１ａと、この底壁１ａの縁部に一体連結して容器本体１の胴部を形成する周壁１ｂからなっており、周壁１ｂの上部は、上方に向けて開放された口部１ｃが設けられている。また、２は、口部１ｃの外周縁に水平に一体連結するフランジ部、３は、フランジ部２に溶着あるいは接着され、容器本体１を密閉状態に保持するためのフィルム状のシート（アルミ製等）である。このフィルム状のシート３には、容器を開封する際に剥がし易いようにタブ３ａが設けられている。
【００１７】
また、４は、シート３の上面に配置されたカバーである。このカバー４は、容器への取り付け前においては、袋詰されて容器本体１の胴部に添付されるか、あるいは、別途に設けられたオーバーキャップ（図示せず）の内側に配置されており、シート３の外表面の少なくとも一部分を覆う板状のカバー本体４ａと、このカバー本体４ａにヒンジｈを介して回動可能に連結する蓋体４ｂから構成されている。蓋体４ｂは、長尺板状体からなる主壁４ｂ１と、この主壁４ｂ１の端部につながり、その内側に凹所を形成する側壁４ｂ２〜４ｂ４とを備えていて、頭部に位置する側壁４ｂ４には、後述する起立片の頂部に係合可能な係止爪４ｂ５が形成されている。
【００１８】
５は、カバー本体４ａの縁部に一体的に設けられ、フランジ部２に連係する係止片、６は、フランジ部２の内側端に隣接して開放する矩形形状をなす貫通開口、７は、貫通開口６の縁部に沿って設けられた垂下片である。この垂下片７は、カバー本体４ａの下面に設けられており、容器本体１の口部１ａの内側壁に当接する主壁部７ａと、この主壁部７ａの端部にそれぞれ一体連結し該主壁部７ａと協働してその内側に内容物の注出路ｒを形成する側壁部７ｂから構成されている。
【００１９】
８は、カバー本体４ａの上面で斜め外向きに起立するように設けられた樋状の起立片である。この起立片８は、主壁８ａとこの主壁８ａの端部に一体連結する側壁８ｂ、８ｃから構成され、貫通開口６の縁部に沿って形成されている。この起立片８は、飲み口として機能するものであって、起立片８の先端部を、蓋体４ｂの側壁４ｂ４の係止爪４ｂ５と係合させることによって貫通開口６を閉塞し、該起立片８の先端部を、蓋体４ｂの側壁４ｂ４の係止爪４ｂ５との係合を解除し該蓋体４ｂをヒンジｈを支点に倒し込むことで該貫通開口６を開放する。
【００２０】
本発明にしたがうカバー４は、蓋体４ｂを引き倒すことにより貫通開口６を開放して内容物の注出を可能とするものであり、容器の開封に際して内容物が飛散するようなことはない。
【００２１】
また、カバー４は１パーツで構成されるものであり、そのカバー本体４ａとしては、蓋体４ｂをヒンジｈを介して連結することが可能であり、かつ、係止片５、貫通開口６、垂下片７、起立片８を設けることができる程度の小さなサイズでよいので、該部材を構成する材料の使用量を最少限に抑えられ、製造コストが極端に上昇することもない。
【００２２】
フランジ部２に連係する係止片５は、図示の例では、カバー本体４ａの幅方向の全域に配置されたフランジ部２の外縁形状と同等の湾曲形状をもった帯状周壁を適用した場合について示したが、該係止片５は、舌片状のものを複数設けてもよく、この点については限定されない。
【００２３】
また、起立片８、垂下片７についても、その形状については円筒状のもの等への変更が可能であり、カバー４や容器のサイズによって適宜される。
【００２４】
図５は、本発明にしたがうカップ型容器の他の実施の形態を、要部の断面について示した図である。本発明にしたがうカップ型容器は、係止片５をその途中から内側に向けて折り込み、該係止片５とカバー本体４ａとの相互間に溝部９を設けておくことが可能であり、シート３を部分的に引き剥がしたのち、引き剥がし部位でカバー本体４ａをシール３の外表面に沿う向きでスライドさせ、溝部９をフランジ部２の先端縁部に嵌合させることでカバー４を容器本体１に確実に固定しておくことができる。
【産業上の利用可能性】
【００２５】
容器の開封時において内容物の飛散がなく、使用材料の削減を図りつつも簡単な動作で飲み口を形成することを可能したカップ型容器が提供できる。
【符号の説明】
【００２６】
１      容器本体
１ａ    底壁
１ｂ    周壁
１ｃ    口部
２      フランジ部
３      フィルム状シート
３ａ    タブ
４      カバー
４ａ    カバー本体
４ｂ    蓋体
５      係止片
６      貫通開口
７      垂下片
７ａ    主壁部
７ｂ    側壁部
８      起立片
８ａ    主壁
８ｂ    側壁
８ｃ    側壁
９      溝部
ｈ      ヒンジ
ｅ      開封端
【図１】
0005507203.tif 000002
【図２】
0005507203.tif 000003
【図３】
0005507203.tif 000004
【図４】
0005507203.tif 000005
【図５】
0005507203.tif 000006